(57)【要約】    【課題】  諸収差を良好に抑え高い光学性能を確保しつつ、製造が容易でしかも高視野の観察が容易な接眼光学系を得ること。    【解決手段】  画像表示面に表示された画像を観察するための接眼光学系であって、画像表示面側から観察側へ順に配置された、正の屈折力の第１レンズ、負の屈折力の第２レンズ、第３レンズ、正の屈折力の第４レンズより構成され、第１レンズ乃至第４レンズの各レンズの材料のｄ線における屈折率の平均値Ｎｄａ、第１レンズの観察側のレンズ面の曲率半径Ｌ１Ｒ２、第２レンズの画像表示面側のレンズ面の曲率半径Ｌ２Ｒ１、第３レンズと第４レンズの合成焦点距離ｆ３４、接眼光学系の焦点距離ｆを各々適切に設定すること。【選択図】図１
2018189879.tif 000002
【特許請求の範囲】
【請求項１】
画像表示面に表示された画像を観察するための接眼光学系であって、画像表示面側から観察側へ順に配置された、正の屈折力の第１レンズ、負の屈折力の第２レンズ、第３レンズ、正の屈折力の第４レンズより構成され、前記第１レンズ乃至前記第４レンズの各レンズの材料のｄ線における屈折率の平均値をＮｄａ、前記第１レンズの観察側のレンズ面の曲率半径をＬ１Ｒ２、前記第２レンズの画像表示面側のレンズ面の曲率半径をＬ２Ｒ１、前記第３レンズと前記第４レンズの合成焦点距離をｆ３４、前記接眼光学系の焦点距離をｆとするとき、
１．５２０≦Ｎｄａ≦１．７３０
−１５．０≦（Ｌ２Ｒ１＋Ｌ１Ｒ２）／（Ｌ２Ｒ１−Ｌ１Ｒ２）≦０．０
０．６８≦ｆ３４／ｆ≦１．３０
なる条件式を満たすことを特徴とする接眼光学系。
【請求項２】
前記第１レンズと前記第２レンズの光軸上の間隔をｄ３、前記第２レンズと前記第３レンズの光軸上の間隔をｄ５とするとき、
０．００≦ｄ５／ｄ３≦０．７５
なる条件式を満たすことを特徴とする請求項１に記載の接眼光学系。
【請求項３】
画像を表示する画像表示素子と、該画像表示素子の画像表示面に表示される画像を観察するために用いられる請求項１又は２に記載の接眼光学系を有することを特徴とする観察装置。
【請求項４】
前記画像表示素子の画像表示面の対角線長の半分をＰＮとするとき、
０．２５＜ＰＮ／ｆ＜０．５５
なる条件式を満たすことを特徴とする請求項３に記載の観察装置。
【請求項５】
前記画像表示面から前記第１レンズの画像表示面側のレンズ面までの光軸上の距離をｄ１とするとき、
０．０≦ｄ１／ｆ＜０．８
なる条件式を満たすことを特徴とする請求項３又は４に記載の観察装置。
【発明の詳細な説明】
【技術分野】
【０００１】
本発明は、接眼光学系及びそれを有する観察装置に関し、例えばビデオカメラ、スチルカメラ、放送用カメラに用いられる電子ビューファインダーにおいて、画像表示素子の画像表示面に表示される画像を観察するのに好適なものである。
【背景技術】
【０００２】
従来、ビデオカメラ、スチルカメラ等の撮像装置（カメラ）に用いられている電子ビューファインダー（観察装置）においては、液晶画面等に表示した画像を拡大観察する為に接眼光学系が用いられている。電子ビューファインダーにおいて、画像表示面を視認性が良く、見やすくするには、観察倍率が高く、しかもアイレリーフが長いこと等が必要になってくる。
【０００３】
更に観察装置の小型化の要望より、観察装置に用いる画像表示素子は小さな寸法（例えば対角長で２０ｍｍ以下）であることが要求されている。
【０００４】
従来、観察倍率の高い接眼光学系が種々と提案されている（特許文献１乃至３）。
【０００５】
特許文献１では、画像表示素子側より観察側に向かって、正の屈折力の第１レンズ、負の屈折力の第２レンズ、正又は負の屈折力の第３レンズ、正の屈折力の第４レンズよりなる接眼光学系を開示している。
【０００６】
特許文献１では、全系の小型化を図りつつ、諸収差を良好に補正するために、少なくとも２枚の正の屈折力のレンズ、少なくとも１枚の負の屈折力のレンズ、そして回折光学素子を用いている。
【０００７】
また、特許文献２では、負の屈折力のレンズ群と、正の屈折面のレンズ群よりなる内視鏡用接眼レンズを開示している。
【０００８】
また、特許文献３では、画像表示素子側より観察側へ順に、両凸形状で、正の屈折力の第１レンズ、負の屈折力の第２レンズ、正の屈折力の第３レンズと、正の屈折力の第４レンズからなる接眼光学系を開示している。特許文献３では高い観察倍率を有しつつ、諸収差が良好に補正された接眼光学系を開示している。
【先行技術文献】
【特許文献】
【０００９】
【特許文献１】特開２００１−０６６５２２号公報
【特許文献２】特開平０５−３１３０７３号公報
【特許文献３】特開２０１５−０７５７１３号公報
【発明の概要】
【発明が解決しようとする課題】
【００１０】
観察装置に用いられる接眼光学系において、観察倍率が高く、しかもアイレリーフを長く確保するには、接眼光学系のレンズ構成及び各レンズの屈折力等を適切に設定することが重要になってくる。この他、小型の画像表示面を用いるときは、画像表示面の大きさに対する接眼光学系の屈折力の比等を適切に設定することが重要になってくる。
【００１１】
特許文献１に開示された画像表示装置用の接眼レンズは、曲面パネルや回折光学素子、高屈折率材料を使用することによって、高い観察倍率を確保しつつ、諸収差を補正している。そのため光学性能や仕様は確保しやすいが、製造が困難になる傾向があった。
【００１２】
特許文献２に開示されている内視鏡用接眼レンズは、高屈折率材料のレンズと非球面レンズを使用することによってレンズ枚数を減らし、高い観察倍率を確保している。しかしながら、高屈折率の材料を多用しているため、製造が難しくなる傾向があった。
【００１３】
特許文献３に開示された接眼光学系では比較的低屈折率の材料を使用し、高い観察倍率を確保している。しかし、高倍率化のために光線を跳ね上げる第１レンズ面と第２レンズ面のレンズ面の曲率がきつくなり、急激に光線が変化する形状をしている。このために像面湾曲が発生しやすい。
【００１４】
また、非球面を多用することで諸収差の補正を容易にしているため、製造が複雑になる傾向があった。
【００１５】
本発明は、諸収差を良好に抑え高い光学性能を確保しつつ、製造が容易でしかも高視野の観察が容易な接眼光学系の提供を目的としている。
【課題を解決するための手段】
【００１６】
本発明の接眼光学系は、画像表示面に表示された画像を観察するための接眼光学系であって、画像表示面側から観察側へ順に配置された、正の屈折力の第１レンズ、負の屈折力の第２レンズ、第３レンズ、正の屈折力の第４レンズより構成され、前記第１レンズ乃至前記第４レンズの各レンズの材料のｄ線における屈折率の平均値をＮｄａ、前記第１レンズの観察側のレンズ面の曲率半径をＬ１Ｒ２、前記第２レンズの画像表示面側のレンズ面の曲率半径をＬ２Ｒ１、前記第３レンズと前記第４レンズの合成焦点距離をｆ３４、前記接眼光学系の焦点距離をｆとするとき、
１．５２０≦Ｎｄａ≦１．７３０
−１５．０≦（Ｌ２Ｒ１＋Ｌ１Ｒ２）／（Ｌ２Ｒ１−Ｌ１Ｒ２）≦０．０
０．６８≦ｆ３４／ｆ≦１．３０
なる条件式を満たすことを特徴としている。
【発明の効果】
【００１７】
本発明によれば、諸収差を良好に抑え高い光学性能を確保しつつ、製造が容易でしかも高視野の観察が容易な接眼光学系が得られる。
【図面の簡単な説明】
【００１８】
【図１】本発明の実施例１に係る接眼光学系のレンズ構成を示す断面図
【図２】本発明の実施例１に係る接眼光学系の各収差図
【図３】本発明の実施例２に係る接眼光学系のレンズ構成を示す断面図
【図４】本発明の実施例２に係る接眼光学系の各収差図
【図５】本発明の実施例３に係る接眼光学系のレンズ構成を示す断面図
【図６】本発明の実施例３に係る接眼光学系の各収差図
【図７】本発明の実施例４に係る接眼光学系のレンズ構成を示す断面図
【図８】本発明の実施例４に係る接眼光学系の各収差図
【図９】本発明の実施例５に係る接眼光学系のレンズ構成を示す断面図
【図１０】本発明の実施例５に係る接眼光学系の各収差図
【図１１】本発明の実施例６に係る接眼光学系のレンズ構成を示す断面図
【図１２】本発明の実施例６に係る接眼光学系の各収差図
【発明を実施するための形態】
【００１９】
以下、本発明の接眼光学系及びそれを有する観察装置について説明する。本発明の接眼光学系は、画像表示面に表示された画像を観察するための接眼光学系である。接眼光学系は画像表示面側から観察側へ順に配置された、正の屈折力の第１レンズ、負の屈折力の第２レンズ、第３レンズ、正の屈折力の第４レンズより構成されている。
【００２０】
図１は本発明の接眼光学系の実施例１のレンズ断面図である。図２は本発明の接眼光学系の実施例１の視度が−１．０ディオプター（標準視度）における収差図である。
【００２１】
図３は本発明の接眼光学系の実施例２のレンズ断面図である。図４は本発明の接眼光学系の実施例２の視度が−１．０ディオプターにおける収差図である。
【００２２】
図５は本発明の接眼光学系の実施例３のレンズ断面図である。図６は本発明の接眼光学系の実施例３の視度が−１．０ディオプターにおける収差図である。
【００２３】
図７は本発明の接眼光学系の実施例４のレンズ断面図である。図８は本発明の接眼光学系の実施例４の視度が−１．０ディオプターにおける収差図である。
【００２４】
図９は本発明の接眼光学系の実施例５のレンズ断面図である。図１０は本発明の接眼光学系の実施例５の視度が−１．０ディオプターにおける収差図である。
【００２５】
図１１は本発明の接眼光学系の実施例６のレンズ断面図である。図１２は本発明の接眼光学系の実施例６の視度が−１．０ディオプターにおける収差図である。
【００２６】
各実施例の接眼光学系は、デジタルカメラやビデオカメラ等の撮像装置の電子ビューファインダー（観察装置）に用いられる。レンズ断面図において左方は画像表示面側、右方は観察側（射出瞳側）である。レンズ断面図においてＬ０は接眼光学系である。Ｌｉは第ｉレンズである。ＩＰは液晶又は有機ＥＬ等よりなる画像表示素子の画像表示面である。ＥＰは観察のための観察面（アイポイント）（射出瞳）である。ＣＧ１はカバーガラスである。
【００２７】
各収差図のうち球面収差図において、実線のｄはｄ線（波長５８７．６ｎｍ）、点線のＦはＦ線（波長４８６．１ｎｍ）を示す。非点収差図においてΔＳｄはｄ線のサジタル像面、ΔＭｄはｄ線のメリディオナル像面を示す。ΔＳＦはＦ線のサジタル像面、ΔＭＦはＦ線のメリディオナル像面を示す。歪曲はｄ線について示している。倍率色収差はＦ線について示している。Ｈは画像表示面の対角線長の半分（最大像高）である。数値は後述する数値データをｍｍ単位で表したときの値である。
【００２８】
画像表示素子の画像表示面の対角線長が約２０ｍｍ以下の小型の画像表示面（表示パネル）を大きな観察視野（視野角約３０度以上）で観察するためには、接眼光学系全体で強い正の屈折力（パワー）を持つ必要がある。そのためには、接眼光学系を構成する各レンズに強い正の屈折力、負の屈折力が必要になる。そうすると多く場合、像面湾曲、倍率色収差が増大し、これらの諸収差の補正が難しくなる。
【００２９】
そこで、各実施例に係る接眼光学系では、各レンズ断面図に示すように、画像表示面ＩＰ側（物体側）より観察面（アイポイント）ＥＰ側に順に、４つのレンズ群より構成している。具体的には、正の屈折力の第１レンズＬ１、負の屈折力の第２レンズＬ２、正または負の屈折力の第３レンズＬ３、正の屈折力の第４レンズＬ４によって構成している。
【００３０】
各実施例において観察面ＥＰは、画像表示面ＩＰの最周辺からの光線が観測者の瞳を通過する範囲内であれば光軸方向に移動しても良い。また、レンズ最終面（第４レンズＬ４の観察側の面）から観察面ＥＰまでの距離をアイレリーフとする。カバーガラスは画像表示面ＩＰやレンズを保護するプレートであり、画像表示面ＩＰからレンズの間やレンズと観察面ＥＰの間に設けても良いし、また必ずしも設置しなくても良い。
【００３１】
本発明の接眼レンズＬ０において、第１レンズＬ１乃至第４レンズＬ４の各レンズの材料のｄ線における屈折率の平均値をＮｄａとする。第１レンズＬ１の観察側のレンズ面の曲率半径をＬ１Ｒ２、第２レンズＬ２の画像表示面側のレンズ面の曲率半径をＬ２Ｒ１とする。第３レンズＬ３と第４レンズＬ４の合成焦点距離をｆ３４とする。接眼光学系の焦点距離をｆとする。
【００３２】
このとき、
１．５２０≦Ｎｄａ≦１．７３０    ・・・（１）
−１５．０≦（Ｌ２Ｒ１＋Ｌ１Ｒ２）／（Ｌ２Ｒ１−Ｌ１Ｒ２）≦０．０  ・・・（２）
０．６８≦ｆ３４／ｆ≦１．３０    ・・・（３）
なる条件式を満たす。
【００３３】
次に前述の各条件式の技術的意味について説明する。
【００３４】
条件式（１）は、第１レンズＬ１乃至第４レンズＬ４の各レンズの材料のｄ線における屈折率の平均値を規定している。条件式（１）の上限を超えて、各レンズの材料の屈折率が高くなると、全系のパワーを強くすることが出来、高い観察倍率を得るのが（高視野角化）容易になる。しかしながら、高い屈折率の材料としては、例えばガラス等を多用しなければならず、製造が難しくなる。また、下限値を下回り各レンズの材料の屈折率が低くなると、全系の屈折力が弱くなり、高視野角化するのが困難になる。
【００３５】
条件式（２）は、第１レンズＬ１と第２レンズＬ２との間で形成される空気レンズの形状を規定している。条件式（２）は高い観察倍率を保ちつつ像面湾曲を良好に補正する為のものである。各実施例では高い観察倍率を得るために第１レンズＬ１から射出される光線を、第２レンズＬ２で跳ね上げている。この条件式（２）の、下限値を下回ると第１レンズＬ１と第２レンズＬ２間で光線の曲がりが急になりすぎる為、諸収差の補正、特に像面湾曲の収差が困難になる。上限値を上回ると光線の跳ね上げが不十分になり、高い観察倍率を得るのが困難になる。
【００３６】
条件式（３）は、第３レンズＬ３と第４レンズＬ４とからなる合成系の合成焦点距離と全系の焦点距離を規定している。条件式（３）の上限を越えると合成系の正の屈折力が弱くなり高い観察倍率を得るのが困難になる。条件式（３）の下限値を下回ると、合成系の正の屈折力が強くなり、十分な長さのアイレリーフを確保するのが困難になり、画像表示面の良好なる観察が困難になる。
【００３７】
好ましくは条件式（１）乃至（３）の数値範囲を次の如く設定するのが良い。
１．５５０≦Ｎｄａ≦１．７３０    ・・・（１ａ）
−１２．０≦（Ｌ２Ｒ１＋Ｌ１Ｒ２）／（Ｌ２Ｒ１−Ｌ１Ｒ２）≦０．０・・・（２ａ）
０．６８≦ｆ３４／ｆ≦１．２５    ・・・（３ａ）
更に好ましくは条件式（１ａ）乃至（３ａ）の数値範囲を次の如く設定するのが良い。
１．５５０≦Ｎｄａ≦１．７００    ・・・（１ｂ）
−１０．０≦（Ｌ２Ｒ１＋Ｌ１Ｒ２）／（Ｌ２Ｒ１−Ｌ１Ｒ２）≦０．０・・・（２ｂ）
０．７０≦ｆ３４／ｆ≦１．２５    ・・・（３ｂ）
以上のように、本発明によれば高い観察倍率で高い光学性能を有した電子ビューファインダーに最適な接眼光学系を得ることができる。
【００３８】
各実施例において更に好ましくは次の条件式のうち１つ以上を満足するのが良い。第１レンズＬ１と第２レンズＬ２の光軸上の間隔をｄ３、第２レンズ群Ｌ２と第３レンズＬ３の光軸上の間隔をｄ５とする。画像を表示する画像表示素子と、画像表示素子の画像表示面ＩＰに表示される画像を観察するために用いられる接眼光学系を有する観察装置においては、画像表示素子の画像表示面の対角線長の半分をＰＮとする。画像表示面ＩＰから第１レンズＬ１の画像表示面側のレンズ面までの光軸上の距離をｄ１とする。
【００３９】
このとき次の条件式のうち１つ以上を満足するのが良い。
０．００≦ｄ５／ｄ３≦０．７５    ・・・（４）
０．２５＜ＰＮ／ｆ＜０．５５      ・・・（５）
０．０≦ｄ１／ｆ＜０．８          ・・・（６）
次に前述の各条件式の技術的意味について説明する。条件式（４）は第２レンズＬ２と第３レンズＬ３の間隔に対する第１レンズＬ１と第２レンズＬ２の間隔の比を規定している。条件式（４）は大きな観察倍率を得つつ、倍率色収差を良好に補正するためのものである。
【００４０】
条件式（４）の上限値を超えて、第２レンズＬ２と第３レンズＬ３の間隔が大きくなると、倍率色収差の補正が困難になる。また、第１レンズＬ１と第２レンズＬ２の間隔が狭くなると第２レンズＬ２へ入射する光束の光線角がきつくなり、特に像高の高いところでの像面湾曲が増大してくる。下限値を下回り、第１レンズＬ１と第２レンズＬ２の間隔が広がると、第２レンズに入射する光線高さが低くなる為、光線を跳ね上げ高い観察視野倍率を得ることが困難になる。
【００４１】
条件式（５）は、画像表示素子の画像表示面の対角線長の半分と全系の焦点距離の比を規定している。条件式（５）は長いアイレリーフを確保しつつ、高い観察倍率を確保するためのものである。この条件式（５）の上限を超えて全系の焦点距離が短くなると、高い観察倍率には有利だが、高い光学性能の確保が難しくなる。条件式（５）の下限値を下回ると、全系の屈折力が弱くなり、高い観察倍率を確保することが難しくなる。
【００４２】
条件式（６）は、画像表示素子の画像表示面から第１レンズＬ１の画像表示面側のレンズ面までの光軸上の長さと、全系の焦点距離を規定する。上限を越えると、画像表示面から第１レンズの画像表示面側のレンズ面までの間隔が広がるため、全系の小型化が困難になる。
【００４３】
好ましくは条件式（４）乃至（６）の数値範囲を次の如く設定するのが良い。
０．０≦ｄ５／ｄ３≦０．６        ・・・（４ａ）
０．２５＜ＰＮ／ｆ＜０．５０      ・・・（５ａ）
０．００≦ｄ１／ｆ＜０．６０      ・・・（６ａ）
更に好ましくは条件式（４ａ）乃至（６ａ）の数値範囲を次の如く設定するのが良い。
０．０≦ｄ５／ｄ３≦０．５        ・・・（４ｂ）
０．２５＜ＰＮ／ｆ＜０．４５      ・・・（５ｂ）
０．００≦ｄ１／ｆ＜０．５５      ・・・（６ｂ）
以上、本発明の好ましい実施形態について説明したが、本発明はこれらの実施形態に限定されず、その要旨の範囲内で種々の変形及び変更が可能である。
【００４４】
以下に本発明の各実施例に対応する数値データを示す。数値データにおいて、ωは視度が−１ディオプター（標準視度）時の見かけ視野（半画角）を示す。画像表示面ＩＰから観察側ＥＰへ順に「ｒｉ」は第ｉ番目の面の近軸曲率半径を示す。「ｄｉ」は画像表示面ＩＰから順に第ｉ番目の面と第ｉ＋１番目の面との間の軸上面間隔を示す。さらに、「Ｎｄｉ」は第ｉ番目の材料のｄ線（波長＝５７８．６ｎｍ）に対する屈折率を示し、「νｄｉ」は第ｉ番目の材料のｄ線に対するアッベ数を示す。ｒ０は画像表示面ＩＰ、ｒ９、ｒ１０はカバーガラスである。
【００４５】
なお、数値データでは、記載されている長さの単位は、特記の無い場合［ｍｍ］が使われている。ただし、光学系は、比例拡大または比例縮小しても同等の光学性能が得られるので、単位は［ｍｍ］に限定されることなく、他の適当な単位を用いることが出来る。なお、数値データにおいて近軸曲率半径の欄に「＊」の添え字が書かれている面は次の数１式によって定義される非球面形状である。
【００４６】
【数１】
2018189879.tif 000003
【００４７】
なお、（数１式）において、xはレンズ面の頂点からの光軸方向の距離、hは光軸と垂直な方向の高さ、Rはレンズ面の頂点での近軸曲率半径、kは円錐定数、c2、c4、c6は多項式係数である。非球面係数において、「Ｅ−ｉ」は１０を底とする指数表現、すなわち「１０−ｉ」を表している。
【００４８】
以上、本発明の好ましい実施形態について説明したが、本発明はこれらの実施形態に限定されず、その要旨の範囲内で種々の変形及び変更が可能である。
【００４９】
［数値データ１］
全体緒元
焦点距離     画像表示面対角長       ２ω[°]
18.97           12.6               35.0
レンズデータ
面    近軸曲率半径       軸上面間隔    屈折率（Nd）  アッベ数（νd）
r0     表示パネル    d1    可変      
r1     553.90       d2    3.30         1.821        42.7 
*r2     -14.37       d3    2.84                 
*r4      -7.18       d4    1.65         1.636        23.9 
r5     -50.31       d5    0.62                 
*r6     -31.65       d6    2.63         1.592        67.0 
r7     -16.79       d7    0.22                 
r8      50.42       d8    6.50         1.535        55.7 
*r9     -13.05       d9    可変                
r10       0.00      d10   0.80         1.492        57.4 
r11       0.00      d11  23.00                 
EP                                        
非球面係数
ｋ         C2           C4         C6         C8
r2    0.00E+00   0.00E+00     3.88E-05   3.65E-08   0.00E+00
r3   -8.22E-01   0.00E+00    -9.72E-05  -9.34E-07   0.00E+00
r5    0.00E+00   0.00E+00     1.10E-05   0.00E+00   0.00E+00
r8   -2.30E+00   0.00E+00    -4.87E-05   2.14E-07  -2.73E-10
可変間隔
視度[dpt]       0         -3         +1         -1
d１         7.76       6.66       8.15       7.42 
d９         1.51       2.60       1.12       1.85 
［数値データ２］
全体緒元
焦点距離      画像表示面対角長      ２ω[°]
13.37            9.9               40.6
レンズデータ
面     近軸曲率半径        軸上面間隔    屈折率（Nd）  アッベ数（νd）
r0      表示パネル    d1    可変                
*r1      13.421       d2    6.14        1.535         56.0 
*r2      -8.334       d3    2.15                 
*r3      -5.637       d4    1.48        1.636         23.9 
r4     -15.213       d5    0.17                 
r5     -34.833       d6    2.11        1.535         56.0 
r6     -17.151       d7    0.15                 
r7    -152.436       d8    3.31        1.535         56.0 
*r8     -11.013       d9    可変                 
r9       0.000       d10   0.70        1.492         57.4 
r10      0.000       d11  18.00                 
EP                                        
非球面係数
ｋ              C2            C4            C6
r1      -6.34E+00        0.00E+00      0.00E+00      0.00E+00
r2      -1.68E+00        0.00E+00     -9.39E-05      0.00E+00
r3      -9.67E-01        0.00E+00      0.00E+00      0.00E+00
r8      -2.34E+00        0.00E+00      3.69E-06      3.31E-07
可変間隔
視度[dpt]      0         -3         +1         -1
d１        5.74       5.14       5.91       5.55 
d９        0.67       1.26       0.50       0.86 
［数値データ３］
全体緒元
焦点距離      画像表示面対角長      ２ω[°]
17.96            9.9               29.1
レンズデータ
面     近軸曲率半径      軸上面間隔   屈折率（Nd）  アッベ数（νd）
r0      表示パネル   d1    可変                
r1      24.08       d2    4.02       1.532         55.8 
*r2      -9.64       d3    3.62                 
*r3      -5.70       d4    1.50       1.636         23.9 
r4     -35.58       d5    1.30                 
r5     -16.99       d6    3.32       1.532         55.8 
*r6      -9.80       d7    0.33                 
r7      39.45       d8    3.23       1.532         55.8 
*r8     -16.38       d9    可変                
r9       0.00       d10   1.00       1.516         64.1 
r10      0.00       d11  21.00                 
EP                                        
非球面係数
ｋ            C2            C4            C6
r2      0.00E+00      0.00E+00      2.28E-04      0.00E+00
r3     -4.72E-01      0.00E+00      1.67E-04      0.00E+00
r6      0.00E+00      0.00E+00      1.67E-05      0.00E+00
r8      0.00E+00      0.00E+00      6.95E-05      5.15E-08
可変間隔
視度[dpt]      0         -3         +1         -1
d１        5.95       4.88       6.24       5.59 
d９        0.79       1.86       0.50       1.15 
［数値データ４］
全体緒元
焦点距離      画像表示面対角長      ２ω[°]
16.50              9.9             32.0
レンズデータ
面     近軸曲率半径      軸上面間隔   屈折率（Nd）  アッベ数（νd）
r0      表示パネル    d1   可変                
r1       21.75       d2   4.95        1.535         55.7 
*r2      -10.27       d3   2.39                 
*r3       -5.62       d4   1.75        1.636         23.9 
r4      -18.39       d5   0.22                 
*r5      -22.78       d6   2.62        1.535         55.7 
r6      -11.84       d7   0.22                 
r7      105.20       d8   3.87        1.535         55.7 
*r8      -13.85       d9   可変                
r9       0.00        d10  0.80        1.492         57.4 
r10      0.00        d11  21.00                 
EP                                        
非球面係数
ｋ            C2            C4            C6           C8
r2    0.00E+00      0.00E+00      1.57E-04     8.64E-07     0.00E+00
r3   -7.62E-01      0.00E+00      8.52E-05     0.00E+00     0.00E+00
r5    0.00E+00      0.00E+00     -7.94E-05     0.00E+00     0.00E+00
r8    0.00E+00      0.00E+00      1.27E-04    -3.08E-07     3.21E-09
可変間隔
視度[dpt]     0          -3         +1         -1
d１        7.10       6.25       7.35       6.83 
d９        1.05       1.90       0.80       1.32 
［数値データ５］
全体緒元
焦点距離     画像表示面対角長     ２ω[°]
25.22            16.8           35.1
レンズデータ
面     近軸曲率半径      軸上面間隔   屈折率（Nd）  アッベ数（νd）
r0     表示パネル    d1   可変              
r1       49.56      d2   6.43        1.535         55.7 
*r2      -17.25      d3   4.39               
*r3       -8.84      d4   1.95        1.636         23.9 
r4      -30.05      d5   0.22               
r5      266.69      d6   5.26        1.531         55.9 
r6      -27.75      d7   0.22               
r7      235.81      d8   5.82        1.535         55.7 
*r8      -18.98      d9   可変              
r9        0.00      d10  0.80        1.492         57.4 
r10       0.00      d11 30.00               
EP                                   
非球面係数
ｋ           C2           C4           C6
r1   0.00E+00     0.00E+00     2.91E-05     0.00.E+00
r2  -1.33E+00     0.00E+00    -1.12E-04     0.00.E+00
r8  -2.17E+00     0.00E+00     1.01E-05     1.04E-08
可変間隔
視度[dpt]     0         -3         +1        -1
d１       10.39      8.38      11.02      9.74 
d９        2.04      4.05       1.41      2.69 
［数値データ６］
全体緒元
焦点距離     画像表示面対角長     ２ω[°]
20.46           12.6             33.1
レンズデータ
面     近軸曲率半径     軸上面間隔   屈折率（Nd）  アッベ数（νd）
r0     表示パネル    d1   可変              
r1       59.97      d2   5.95        1.694        53.2 
*r2      -11.68      d3   2.38               
*r3       -6.74      d4   1.67        1.636        23.9 
r4      -28.97      d5   0.00               
r5      -28.97      d6   3.09        1.535        56.0 
r6      -35.80      d7   0.25               
r7       61.73      d8   5.49        1.535        56.0 
*r8      -12.03      d9   可変              
r9        0.00      d10  0.80        1.492        57.4 
r10       0.00      d11 24.00               
EP                                   
非球面係数
ｋ           C2           C4           C6
r2     0.00E+00     0.00E+00     1.15E-04     2.75E-07
r3    -9.93E-01     0.00E+00     0.00E+00     0.00E+00
r8    -5.80E-01     0.00E+00     6.48E-05     8.67E-08
可変間隔
視度[dpt]      0        -3        +1       -1
d１        9.47      8.06      9.85      9.01 
d９        0.87      2.28      0.50      1.34 
【００５０】
【表１】
2018189879.tif 000004
【符号の説明】
【００５１】
Ｌ０  接眼光学系    Ｌ１  第１レンズ      Ｌ２  第２レンズ      Ｌ３  第３レンズ
Ｌ４  第４レンズ      ＩＰ  画像表示面      ＥＰ  観察面
【図１】
2018189879.tif 000005
【図２】
2018189879.tif 000006
【図３】
2018189879.tif 000007
【図４】
2018189879.tif 000008
【図５】
2018189879.tif 000009
【図６】
2018189879.tif 000010
【図７】
2018189879.tif 000011
【図８】
2018189879.tif 000012
【図９】
2018189879.tif 000013
【図１０】
2018189879.tif 000014
【図１１】
2018189879.tif 000015
【図１２】
2018189879.tif 000016